【手続補正書】
【提出日】令和1年6月19日(2019.6.19)
【手続補正１】
【補正対象書類名】特許請求の範囲
【補正対象項目名】全文
【補正方法】変更
【補正の内容】
【特許請求の範囲】
【請求項１】
像担持体と、
前記像担持体に接触して設けられる、前記像担持体を帯電するための帯電部材と、
前記帯電部材に帯電バイアスを印加する印加手段と、
前記像担持体と前記帯電部材との間に流れる帯電電流の帯電電流値を検知する電流検知手段と、
前記電流検知手段によって前記帯電電流値を検知する場合に、前記帯電電流値のうち、放電によって前記帯電部材と前記像担持体との間に流れる放電電流の放電電流値を取得する取得部と、
前記取得部によって取得される前記放電電流値が目標電流値となるように、前記印加手段によって印加される前記帯電バイアスの大きさを段階的に増減させて制御する制御手段と、を有し、
前記制御手段は、前記印加手段に大きさの異なる前記帯電バイアスを印加させて取得される前記帯電電流値の変化に対する前記放電電流値の変化の傾きである第１の傾きと所定の基準傾きである第２の傾きと、に基づいて、１回の前記帯電バイアスの大きさの増減に伴う前記帯電電流値の可変幅を制御することを特徴とする画像形成装置。
【請求項２】
取得する前記放電電流値が前記目標電流値に到達する時間を、前記帯電電流値を基準可変幅で変化させた場合よりも短縮すべく、
前記制御手段は、前記基準可変幅よりも大きい可変幅で前記帯電電流値が変化するように、１回の前記帯電バイアスの大きさの増減量を大きくすることを特徴とする請求項１に記載の画像形成装置。
【請求項３】
前記基準可変幅よりも大きい可変幅は、前記第１の傾きと前記第２の傾きと、の比率を、前記基準可変幅に乗ずる補正をした可変幅であることを特徴とする請求項２に記載の画像形成装置。
【請求項４】
温度を検知する温度検知手段をさらに備え、
前記制御手段は、前記温度検知手段が検知する温度の変化が所定の温度以上の場合に、前記第１の傾きを取得し、前記基準可変幅を補正する補正量を決定することを特徴とする請求項３に記載の画像形成装置。
【請求項５】
前記制御手段は、取得する前記放電電流値が前記目標電流値よりも大きい場合、絶対値が同じ大きさで前記放電電流値が前記目標電流値よりも小さい場合よりも、前記帯電電流値の大きさを変化させる幅が大きくなるように、前記比率を乗じた前記基準可変幅をさらに大きくさせる補正を行うことを特徴とする請求項３または４に記載の画像形成装置。
【請求項６】
前記制御手段は、
取得した前記放電電流値と前記目標電流値との差が所定の大きさ以上のときは、前記基準可変幅を大きくする補正をした場合には前記帯電電流値の大きさが画像形成時における上限を超える可変幅となるように、前記比率を乗じた前記基準可変幅をさらに大きくする補正をし、
取得した前記放電電流値と前記目標電流値との差が所定の大きさより小さくなると、前記上限を超える可変幅となるように補正された可変幅を減じる補正を行うことを特徴とする請求項３または４に記載の画像形成装置。
【請求項７】
前記制御手段は、画像形成の回数が所定の回数以上となったときに、前記第１の傾きを取得し、前記基準可変幅を補正する補正量を決定することを特徴とする請求項３〜６のいずれか１項に記載の画像形成装置。
【請求項８】
前記像担持体及び前記帯電部材は、画像形成装置の装置本体に対して着脱可能なプロセスカートリッジとして一体化されており、
前記制御手段は、新品の前記プロセスカートリッジが前記装置本体に装着されたときに、前記第１の傾きを取得し、前記基準可変幅を補正する補正量を決定することを特徴とする請求項３〜７のいずれか１項に記載の画像形成装置。
【請求項９】
前記プロセスカートリッジに設けられた、前記補正量を記憶する不揮発性メモリをさらに備えることを特徴とする請求項８に記載の画像形成装置。
【請求項１０】
像担持体と、
前記像担持体に接触して設けられる、前記像担持体を帯電するための帯電部材と、
前記帯電部材に帯電バイアスを印加する印加手段と、
前記像担持体と前記帯電部材との間に流れる帯電電流の帯電電流値を検知する電流検知手段と、
前記電流検知手段によって前記帯電電流値を検知する場合に、前記帯電電流値のうち、放電によって前記帯電部材と前記像担持体との間に流れる放電電流の放電電流値を取得する取得部と、
前記取得部によって取得される前記放電電流値が目標電流値となるように、前記印加手段によって印加される前記帯電バイアスの大きさを段階的に増減させて制御する制御手段と、
を備える画像形成方法であって、
前記印加手段によって大きさの異なる前記帯電バイアスを印加させることにより、前記帯電電流値の変化に対する前記放電電流値の変化の傾きである第１の傾きを取得する工程と、
前記取得部によって取得した前記第１の傾きと、前記帯電電流値の変化に対する前記放電電流値の所定の基準傾きである第２の傾きと、に基づいて、１回の前記帯電バイアスの大きさの増減に伴う前記帯電電流値の可変幅を制御する工程と、
を有することを特徴とする画像形成方法。
【手続補正２】
【補正対象書類名】明細書
【補正対象項目名】０００８
【補正方法】変更
【補正の内容】
【０００８】
上記目的を達成するために、本発明の画像形成装置は、
像担持体と、
前記像担持体に接触して設けられる、前記像担持体を帯電するための帯電部材と、
前記帯電部材に帯電バイアスを印加する印加手段と、
前記像担持体と前記帯電部材との間に流れる帯電電流の帯電電流値を検知する電流検知手段と、
前記電流検知手段によって前記帯電電流値を検知する場合に、前記帯電電流値のうち、放電によって前記帯電部材と前記像担持体との間に流れる放電電流の放電電流値を取得する取得部と、
前記取得部によって取得される前記放電電流値が目標電流値となるように、前記印加手段によって印加される前記帯電バイアスの大きさを段階的に増減させて制御する制御手段と、を有し、
前記制御手段は、前記印加手段に大きさの異なる前記帯電バイアスを印加させて取得される前記帯電電流値の変化に対する前記放電電流値の変化の傾きである第１の傾きと所定の基準傾きである第２の傾きと、に基づいて、１回の前記帯電バイアスの大きさの増減に伴う前記帯電電流値の可変幅を制御することを特徴とする。
上記目的を達成するため、本発明の画像形成方法は、
像担持体と、
前記像担持体に接触して設けられる、前記像担持体を帯電するための帯電部材と、
前記帯電部材に帯電バイアスを印加する印加手段と、
前記像担持体と前記帯電部材との間に流れる帯電電流の帯電電流値を検知する電流検知手段と、
前記電流検知手段によって前記帯電電流値を検知する場合に、前記帯電電流値のうち、放電によって前記帯電部材と前記像担持体との間に流れる放電電流の放電電流値を取得する取得部と、
前記取得部によって取得される前記放電電流値が目標電流値となるように、前記印加手段によって印加される前記帯電バイアスの大きさを段階的に増減させて制御する制御手段と、
を備える画像形成方法であって、
前記印加手段によって大きさの異なる前記帯電バイアスを印加させることにより、前記帯電電流値の変化に対する前記放電電流値の変化の傾きである第１の傾きを取得する工程と、
前記取得部によって取得した前記第１の傾きと、前記帯電電流値の変化に対する前記放電電流値の所定の基準傾きである第２の傾きと、に基づいて、１回の前記帯電バイアスの大きさの増減に伴う前記帯電電流値の可変幅を制御する工程と、
を有することを特徴とする。